(57)【要約】【課題】  暗所で使い勝手の良い実用価値の高い給油ポンプを提供する。【解決手段】  石油を吸入する吸入部３０と吐出する吐出部４０と、吸入部３０に石油を吸入させ吐出部４０に吐出させるポンプ操作手段の電源スイッチＳ１と乾電池Ｅを備えた本体部２０を有する電動式給油ポンプ１０で、本体部２０の側面一部に、白色発光ダイオードＤを光源とする照明部５０を一体的に配設する。照明部５０に設けた照明スイッチＳ３をＯＮして、給油作業現場を照明する。【選択図】図１
0003106855.tif 000002
【実用新案登録請求の範囲】
【請求項１】
石油を吸入する吸入部と、当該吸入部で吸入した石油を吐出する吐出部と、前記吸入部と吐出部を連通させて連結すると共に、前記吸入部で石油を吸入させ前記吐出部に吐出させるポンプ操作手段を備えた本体部を有する給油ポンプにおいて、
前記本体部に発光ダイオードを光源とする照明部を配設したことを特徴とする給油ポンプ。
【請求項２】
前記吸入部が石油を吸入する電動モータを備え、前記本体部が前記電動モータを駆動する乾電池を備え、前記照明部が前記乾電池を前記発光ダイオードの電源にすることを特徴とする請求項１に記載の給油ポンプ。
【請求項３】
前記本体部が前記電動モータを駆動させる手動式電源スイッチと前記照明部の発光ダイオードを点灯させる手動式照明スイッチを備えたことを特徴とする請求項２に記載の給油ポンプ。
【請求項４】
前記本体部が前記電動モータを駆動させると共に、前記照明部の発光ダイオードを点灯させる手動式電源スイッチを備えたことを特徴とする請求項２に記載の給油ポンプ。
【請求項５】
前記照明部が前記本体部と一体であることを特徴とする請求項１に記載の給油ポンプ。
【請求項６】
前記照明部が前記本体部に着脱自在であることを特徴とする請求項１に記載の給油ポンプ。
【請求項７】
前記照明部が、前記本体部の側面一部に突出する突出部材と、この突出部材の外面一部を形成する投光窓を有し、この投光窓の奥に前記発光ダイオードを配備したことを特徴とする請求項１に記載の給油ポンプ。
【請求項８】
前記突出部材が、前記吸入部の在る側に向く斜面を有し、この斜面に前記投光窓を設けたことを特徴とする請求項７に記載の給油ポンプ。
【請求項９】
前記発光ダイオードが白色発光ダイオードであることを特徴とする請求項１に記載の給油ポンプ。
【請求項１０】
前記照明部が前記発光ダイオードを点灯させるＬＥＤ専用乾電池を有することを特徴とする請求項１に記載の給油ポンプ。
【考案の詳細な説明】
【技術分野】
【０００１】
本考案は、石油ストーブのカートリッジタンクなどに給油する給油ポンプに関する。
【背景技術】
【０００２】
石油ファンヒーターなどの家庭用や業務用の石油ストーブは、固定式の石油タンクまたは着脱式のカートリッジタンクを備え、石油タンクやカートリッジタンクの給油に携帯式給油ポンプ（灯油ポンプ）を使用している。この給油ポンプは、２０リッター容器であるポリ容器やドラム缶などの貯留タンクから石油を石油ストーブに固定の石油タンクや着脱自在のカートリッジタンクに給油するもので、空気圧式ポンプを含む手動式給油ポンプ、給油動作を自動停止させる自動停止機能付き電動式給油ポンプ、給油動作を手動で停止させる電動式給油ポンプなど各種形式のものが市販されている。
【０００３】
カートリッジタンクを備えた石油ストーブは、カートリッジタンクを外してポリ容器のある場所に運び、ポリ容器から給油ポンプを使ってカートリッジタンクに給油することができて便利であることから普及している。しかし、ポリ容器の在る場所が屋外である場合が多くて、夜間に屋外の暗い場所にあるポリ容器からカートリッジタンクに給油する作業が不便である。このような給油時の不便を解消する給油ポンプは、市販されておらず、特許文献や他の技術文献に見当たらない。
【考案の開示】
【考案が解決しようとする課題】
【０００４】
夜間に屋外の暗い場所にあるポリ容器からカートリッジタンクに給油する作業を便利にするため、ポリ容器の在る場所に外灯などの照明設備を配備して、給油作業を開始する前に照明することが考えられるが、給油作業を便利にするためだけの照明設備は不経済である。そこで、実際は片手に懐中電灯を持ってカートリッジタンクやポリ容器の周辺を照明しながら、給油作業をしているが、この作業がかなり不便である。例えば、電動式給油ポンプは、ポリ容器から石油を吸い上げるための電動モータや、この電動モータを駆動させるための乾電池（単一電池２個が通常）で重く、かつ、重量バランスが悪いため、懐中電灯を持たない片手で電動式給油ポンプを取り扱うのが難しい。また、手動式給油ポンプは軽量であるが、懐中電灯を持たない片手でポンプ動作を連続して行うのが難しく、かなり不便である。
【０００５】
本考案は、かかる実情に鑑みてなされたもので、暗所の給油作業を容易にする便利な給油ポンプを提供しようとするものである。
【課題を解決するための手段】
【０００６】
本考案は、石油を吸入する吸入部と、当該吸入部で吸入した石油を吐出する吐出部と、吸入部と吐出部を連通させて連結すると共に、吸入部で石油を吸入させて吐出部に吐出させるポンプ操作手段を備えた本体部を有する給油ポンプにおいて、本体部に発光ダイオードを光源とする照明部を配設したことを特徴とする。
【０００７】
ここで、給油ポンプの吸入部は、ポリ容器などの貯留タンク内の石油に挿入される硬質パイプを備え、吸入した石油を吐出部へと送出する。吐出部は、石油ストーブのカートリッジタンクなどのタンク内に石油を吐出する蛇腹状のフレキシブルな吐出ホースを備え、吐出ホースの基端部が吸入部と連通する。本体部は、吸入部に石油を吸引させて吐出部に送出させるポンプ動作を行わせる部所で、電動式または手動式のいずれかの構成を成す。電動式本体部の場合は、乾電池を内蔵した円筒ケース（電池ケース）構造で、吸入部に設置した電動モータの駆動と停止を手動で操作するポンプ操作手段の電源スイッチ類を装備する。手動式本体部の場合は、吸入部内を負圧にして石油を吸引するポンプ操作手段を装備し、特に空気圧式の手動式本体部の場合は貯留タンク内の空気圧を上げるポンプ操作手段を装備する。
【０００８】
本体部に配設される照明部は、高輝度発光ダイオード（以下、必要に応じてＬＥＤと称する）を点光源とする。ＬＥＤは白色ＬＥＤ、緑色ＬＥＤ、赤色ＬＥＤなどの単品や、同一発光色の複数品、異なる発光色の複数品を適用することができる。また、照明部で給油作業の現場を照明する用途においては、白色ＬＥＤが最も実用的であり、望ましい。ＬＥＤを光源にする照明部は、本体部の側面一部や本体部の端面に配設でき、本体部に配設することで給油作業の邪魔をしない。また、照明部は、点灯したＬＥＤの光を反射する反射板を備えた構造とすることができ、指向性のよいＬＥＤの光を反射板で効率的に外部に向けて反射して、外部のカートリッジタンクなどを照明する。このようにＬＥＤで照明することで、給油ポンプを使った暗所での給油作業が便利になる。また、ＬＥＤは、電球のように高熱で点灯したり、破損する心配がないので、安全な作業環境下での給油作業を可能にする。
【０００９】
本考案は、給油ポンプの吸入部が石油を吸入する電動モータを備え、本体部が電動モータを駆動する乾電池を備えた電動式給油ポンプにおいて、本体部に配設する照明部のＬＥＤを本体部の乾電池を電源として点灯させるようにすることができる。
【００１０】
この場合の本体部の乾電池は、単一乾電池２個または単二乾電池２個を直列接続して使用するのが通常であり、この乾電池で吸入部の電動モータを駆動させると共に、必要に応じて照明部のＬＥＤを点灯させるようにすることで、ＬＥＤに専用の電源が不要となり、照明部自体に乾電池収納スペースを設ける必要がなくて、照明部を小形コンパクトで安価な構造とすることができる。また、ＬＥＤは小電流で高輝度点灯することから、乾電池の寿命、電動式給油ポンプの性能にほとんど影響を与えない。
【００１１】
また、本考案においては、本体部が吸入部の電動モータを駆動させる手動式電源スイッチと照明部のＬＥＤを点灯させる手動式照明スイッチを備えた電動式給油ポンプとすることができる。この場合、電源スイッチと照明スイッチを独自に操作することで、給油動作と照明動作を独自に選択して行うことができて、暗所で照明動作をさせて給油場所を照明し、照明しながら給油動作をするといった便利な使い方や、給油動作時などの必要時だけ照明動作をさせる使い方ができる。
【００１２】
また、本体部が電動モータを駆動させると共に、照明部の発光ダイオードを点灯させる手動式電源スイッチを備えた構造にすることができる。この場合、１つの電源スイッチが照明スイッチを兼用するため、給油動作と照明動作のスイッチ操作数が少なくでき、使用するスイッチ数が最少数となって小形化と製作コストの低減化が図れる。
【００１３】
本考案においては、照明部が本体部と一体である構造にすることができる。例えば本体部と照明部の外形が共に容器形の場合、本体部の容器の一部を一体的に突出させて、その突出した容器の一部を照明部の容器とすることができる。このように照明部と本体部を一体化することで、両者が同時に製作でき、本体部が樹脂容器を有する構造の場合はこの樹脂容器を成形するときに照明部の樹脂容器を同時に成形できて、安価に製作することができる。
【００１４】
また、照明部が本体部に着脱自在な構造とすることができる。この場合、照明部を本体部から外して使用できる便利さがあり、また、照明部を本体部に嵌め込み式に着脱できる構造にするなどして、本体部に特別な照明部取付構造を形成する必要のない、既存の形状の給油ポンプの本体部を適用することができる給油ポンプ設計上の有利さがある。
【００１５】
また、本考案においては、照明部が、本体部の側面一部に突出する突出部材と、この突出部材の外面一部を形成する投光窓を有し、この投光窓の奥にＬＥＤを配備した構造とすることができる。ここでの突出部材は、本体部の側面から三角ブロック状や四角ブロック状、半円状などに突出するもので、その外面一部に投光窓を形成して、投光窓を本体部の側面より突出した定位置に配備するようにすることで、本体部の側面から離れた位置から本体部周辺と本体部側面自体をも照明することが容易にできるようになる。突出部材の一部に形成する投光窓は、ＬＥＤの光を収束させるレンズや、ＬＥＤの光を透過させる透明ガラス板、このガラス板を色付きとした色ガラス板で構成する他、ＬＥＤ自体を露呈させた窓とすることもできる。
【００１６】
本考案においては、上記突出部材が、給油ポンプの吸入部の在る側に向く斜面を有して、この斜面に投光窓を設けた構造とすることができる。この場合、照明部は三角ブロック状を成して、その底辺部が本体部の側面を構成し、２つの斜辺部の一方が投光窓のある斜面となり、この斜面が吸入部側に向いて投光窓が吸入部側に向き、投光窓から投光されるＬＥＤの光が本体部に対して吸入部側に集中的に照射される。この本体部に対する吸入部側は、給油するカートリッジタンクなどのある給油される側に在って、投光窓から照明部で給油される側のカートリッジタンクなどを無駄なく効率的に照明することができる。
【００１７】
また、給油ポンプの種類によっては、照明部自体にＬＥＤを点灯させるＬＥＤ専用乾電池を装備させることができる。このＬＥＤ専用乾電池は、単三電池１個が適用できる。このような乾電池を装備した照明部は、独立したＬＥＤ点灯回路を内蔵した単品の製品として製作して、給油ポンプに着脱自在に取付けるようにすればよい。
【考案の効果】
【００１８】
本考案の給油ポンプによれば、給油作業時に照明部の発光ダイオードを点灯させて作業現場を照明することができて、暗所での給油作業を便利にする優れた効果を奏し得る。また、給油ポンプの本体部に配設する照明部は、給油作業の邪魔をしない位置に設置することができて、照明部付き給油ポンプの取扱いを容易にする。さらに、発光ダイオードは、白熱電球のように高温発光や破損しないので、安全な照明下での給油作業を容易にし、特に白色発光ダイオードは明確な照明を可能にして給油作業を尚一層に容易なものにする。特に、電動式給油ポンプの場合、電動モータ駆動用乾電池で発光ダイオードを点灯させることができて、実用的価値の高い給油ポンプを提供することができる。
【考案を実施するための最良の形態】
【００１９】
以下、本考案の各種の実施の形態を、図１〜図８を参照して説明する。
【００２０】
図１（Ａ）（Ｂ）に示す給油ポンプ１０は、自動停止機能付き電動式給油ポンプで、本体部２０と、本体部２０の下部に設けた連結管２１から二股状に延在する吸入部３０と吐出部４０を備え、本体部２０の側面一部に照明部５０が一体的に配設される。給油ポンプ１０の照明部５０を除く構成部は、既存の自動停止機能付き電動式給油ポンプと同様な構造でよく、例えば、次の構造である。
【００２１】
吸入部３０は、例えば図２に示すような２０リットルのポリ容器１から石油を吸入する部所で、１本の長尺な吸入パイプ３１を備える。吸入パイプ３１の基端部が本体部２０の連結管２１を介して連通し、先端部に図１（Ｃ）に示す電動モータＭを内蔵する。吐出部４０は、長尺でフレキシブルな吐出ホース４１を備える。吐出ホース４１の基端部が連結管２１を介し吸入パイプ３１の基端部と連通して、吸入パイプ３１に吸入された石油が吐出ホース４１に吐出される。吐出ホース４１の先端にノズル４２が連結される。ノズル４２は、図２に示すような石油ストーブ用カートリッジタンク５の石油出入管７に挿入される硬質管で、石油出入管７に挿入したノズル４２の姿勢を保持する引掛け爪４３を有する。このノズル４２は、カートリッジタンク５が給油されて満杯状態に近付くとこれを感知してオフ動作をする、図１（Ｃ）に示す給油動作自動停止用スイッチＳ２を内蔵する。スイッチＳ２を自動的に作動させるのが、図１（Ａ）のノズル４２の先端部に在る感知部４５と停止線４４である。また、ノズル４２の側面一部に係止部４６が突設される。図１（Ａ）の鎖線で示すように、吐出ホース４１を屈曲させてノズル４２を連結管２１に近付け、連結管２１に突出させたフック２２に係止部４６を引っ掛けるようにしてある。
【００２２】
本体部２０は、電動モータＭを作動させる乾電池、例えば２個の単一乾電池または単二乾電池Ｅ、Ｅを直列に収納する電池ケース２３と、電池ケース２３の側面に設置した電源スイッチＳ１を備える。電池ケース２３は縦長の円筒で、下端部が連結管２１に連結され、上端部に蓋２４が着脱自在に螺装される。蓋２４には吊下げ用突起２５が一体に形成される。図１（Ａ）（Ｂ）に示す電源スイッチＳ１は、ＯＮスイッチとＯＦＦスイッチを備えた手動スイッチであるが、スライドスイッチであってもよい。
【００２３】
図１の実施の形態は、本体部２０の電池ケース２３側面一部に照明部５０を一体に形成したことを特徴とする。照明部５０は、図１（Ｃ）に示す白色発光ダイオードＤと照明スイッチＳ３を備える。照明部５０は、例えば三角ブロック状の樹脂製ケースである突出部材５１を備え、三角形の突出部材５１の底辺部が電池ケース２３の側面に接着やねじ止めで固定される。突出部材５１の２つの斜面５２、５３の一方に投光窓５４が形成され、他方に照明スイッチＳ３が設置される。投光窓５４の奥に白色発光ダイオードＤが設置され、その周囲に反射板（図示せず）が設置され、点灯した白色発光ダイオードＤの光が直接および反射板を反射して投光窓５４から外部に指向性よく照射される。投光窓５４のある斜面５２は、給油動作のために本体部２０を立て姿勢にしたときに下向きに傾斜する斜面であり、他の斜面５３は上向きに傾斜する斜面である。照明部５０の白色発光ダイオードＤと照明スイッチＳ３が抵抗Ｒを介して直列接続され、この直列回路が図１（Ｃ）に示すように本体部２０に配線される。
【００２４】
次に、上記実施の形態の給油ポンプ１０による給油動作を説明する。
【００２５】
例えば、図２に示すように、明るい場所でポリ容器１からカートリッジタンク５に給油する場合は、照明スイッチＳ３をＯＦＦのままにして、通常の給油動作をする。吸入パイプ３１をポリ容器１の出入口３に挿入し、吐出ホース４１のノズル４２をカートリッジタンク５の石油出入管７に挿入し、引掛け爪４３で止めて、本体部２０の電源スイッチＳ１をＯＮすると、自動給油が行われる。カートリッジタンク５が所定の満杯近くまで給油されると、ノズル４２の常閉スイッチである自動停止用スイッチＳ２がＯＦＦに切り換って給油動作が自動停止する。
【００２６】
暗い場所でポリ容器１からカートリッジタンク５に給油する場合は、給油動作前に照明スイッチＳ３をＯＮする。すると、図１（Ｃ）の電気回路に示すように白色発光ダイオードＤに電池電流が流れて点灯し、周囲を照明するために、暗所での給油動作がし易くなる。なお、このとき電動モータＭにも電池電流が流れるが、発光ダイオードを点灯させるだけの小電流であるので電動モータＭは作動せず、乾電池Ｅの蓄電量の消耗も問題ないほど少ない。白色発光ダイオードＤを点灯させた状態で、図２の給油動作をする。このとき、照明部５０の投光窓５４が下向き斜面５２に在るため、投光窓５４をカートリッジタンク５に向けることができ、このようにすることで投光窓５４からの光でカートリッジタンク５を集中的に照明することができる。この場合、カートリッジタンク５の側面に設けたインジケータ８を照明すれば、給油量が視認できて便利であり、また、吐出ホース４１を照明すれば吐出ホース４１を流れる石油が視認でき、給油が正常に行われていることが確認できる。なお、図２のカートリッジタンク５における符号６は傾動式の取っ手であり、ポリ容器１における符号２は出入口キャップであり、符号４は取手部である。
【００２７】
カートリッジタンク５への給油動作がスイッチＳ２のＯＦＦで自動停止した後も、照明スイッチＳ３をＯＮのままにしておくと、白色発光ダイオードＤによる照明が継続されて、給油後の片付けなどの後始末がやり易くなり、暗所で石油を溢して周囲を汚すといった不手際がなくなる。照明スイッチＳ３は、給油後の任意時に手動でＯＦＦすればよい。
【００２８】
次に、他の各実施の形態を順に説明する。
【００２９】
図３は、電源スイッチＳ１で電動モータＭを駆動させると共に、白色発光ダイオードＤを点灯させる電気回路図を示す。例えば、発光ダイオードＤと抵抗Ｒの直列回路を自動停止用スイッチＳ２に並列接続し、電源スイッチＳ１をＯＮすると常閉のスイッチＳ２を介して電動モータＭを駆動させ、白色発光ダイオードＤを点灯させて、給油動作と照明動作が同時に行われるようにする。また、給油動作が自動停止用スイッチＳ２のＯＦＦで自動停止しても、電源スイッチＳ１がＯＦＦに切り換えるまで照明動作が継続するようにする。このようにしても暗所での給油作業がし易くなる。
【００３０】
図４（Ａ）（Ｂ）に示す実施の形態は、本体部２０の電源スイッチＳ１に照明部５０を一体に組込んだものを示す。電源スイッチＳ１は、図３の電気回路に使用されるものである。電源スイッチＳ１が樹脂製の縦長ハウジング２６を備える構造にして、このハウジング２６の上部に外方に膨出させた状態で照明部５０を一体に形成し、照明部５０の下向き斜面５２に投光窓５４を設置する。この投光窓５４は電源スイッチＳ１に向き、電源スイッチＳ１を照明するため、暗所で電源スイッチＳ１を手動操作する作業が便利になる。
【００３１】
図５（Ａ）（Ｂ）は、照明部５０を本体部２０に着脱自在とした給油ポンプ１０の一例を示すものである。図５の照明部５０は、図１の照明部５０の突出部材５１と同様な突出部材５１’に、図６に示すような弾性の取付バンド５５を一体に形成した構造で、取付バンド５５を本体部２０の電池ケース２３に差し込み式に着脱させる。また、突出部材５１’から導出した伸縮自在のカールコード５６で本体部２０と配線する。
【００３２】
図５（Ａ）は本体部２０に照明部５０を取付けた状態を示し、この状態で図２と同様な給油動作が行われる。この給油動作において、照明部５０による照明効果が悪いような場合は、図５（Ｂ）に示すように、本体部２０から照明部５０を取り外し、照明部５０を照明したい場所に移動させることで、良好な照明効果が得られる。本体部２０から取り外した照明部５０は片手で持つか、取付バンド５５を利用して図示しない棚板などに引掛けることができる。
【００３３】
以上の各実施の形態は、給油自動停止機能付き電動式給油ポンプであるが、給油自動停止機能のない電動式給油ポンプ、つまり、電源スイッチを手動でＯＮすることで電動モータを駆動させて給油動作を開始させ、同じ電源スイッチを手動でＯＦＦすることで電動モータを停止させて給油を停止させるようにした電動式給油ポンプに適用することも可能である。この場合、暗所において給油される側のカートリッジタンクのインジケータを白色発光ダイオードで照明することで、給油動作を停止させるタイミングが視認できて、給油し過ぎる給油ミスが防止できる。
【００３４】
図７と図８は、手動式給油ポンプに適用した実施の形態である。
【００３５】
図７は、吸入部３０内を負圧にして石油を吸引する柔軟容器であるポンプ操作手段２０ａで本体部２０を構成したもので、本体部２０と吸入部３０および吐出部４０との境界部分に照明部５０を着脱自在に取り付ける。この場合の照明部５０には、発光ダイオード専用の乾電池（図示せず）を装備させる。
【００３６】
図８は、空気圧式の手動式給油ポンプを示し、この場合、ポリ容器などの貯留タンク内の空気圧を上げるポンプ操作手段２０ｂで本体部２０を構成し、この本体部２０に照明部５０を着脱自在に取り付ける。この場合も、照明部５０に発光ダイオード専用の乾電池（図示せず）を装備させる。
【図面の簡単な説明】
【００３７】
【図１】（Ａ）は本考案の実施の形態を示す正面図、（Ｂ）は本体部の側面図、（Ｃ）は電気回路図である。
【図２】図１の給油ポンプの給油動作時の正面図である。
【図３】他の実施の形態を説明するための電気回路図である。
【図４】（Ａ）はさらに他の実施の形態を説明するための本体部の正面図、（Ｂ）は側面図である。
【図５】（Ａ）はさらに他の実施の形態を説明するための本体部の側面図、（Ｂ）は別の状態での側面図である。
【図６】図５における照明部の斜視図である。
【図７】さらに他の実施の形態を示す部分正面図である。
【図８】さらに他の実施の形態を示す部分正面図である。
【符号の説明】
【００３８】
１    ポリ容器
５    カートリッジタンク
７    石油出入管
８    インジケータ
１０    給油ポンプ
Ｓ１    電源スイッチ、ポンプ操作手段
Ｓ２    自動停止用スイッチ
Ｓ３    照明スイッチ
２０    本体部
２０ａ、２０ｂ    ポンプ操作手段
２１    連結管
２３    電池ケース
３０    吸入部
３１    吸入パイプ
４０    吐出部
４１    吐出ホース
４２    ノズル
５０    照明部
５１    突出部材
５２    斜面
５４    投光窓
５５    取付バンド
Ｄ    発光ダイオード、白色発光ダイオード
Ｅ    乾電池
Ｍ    電動モータ
【図１】
0003106855.tif 000003
【図２】
0003106855.tif 000004
【図３】
0003106855.tif 000005
【図４】
0003106855.tif 000006
【図５】
0003106855.tif 000007
【図６】
0003106855.tif 000008
【図７】
0003106855.tif 000009
【図８】
0003106855.tif 000010